(57)【特許請求の範囲】
【請求項１】
相互に１／２周期の位相差がある擬似雑音コード（ＰＮコード）を夫々発生する第１ＰＮコード発生器及び第２ＰＮコード発生器と、
前記第１ＰＮコード発生器及び前記第２ＰＮコード発生器から夫々発生された各ＰＮコードを加算する第１の加算器と、
Ｉ−チャンネルに受信される信号と前記第１の加算器から発生されるＰＮコードとを乗算する第１掛け算器と、
Ｑ−チャンネルに受信される信号と前記第１の加算器から発生されるＰＮコードとを乗算する第２掛け算器と、
前記第１掛け算器から出力された値を所定期間の間累積して相関エネルギーを出力する第１相関エネルギー出力手段と、
前記第２掛け算器から出力された値を所定期間の間累積して相関エネルギーを出力する第２相関エネルギー出力手段と、
前記第１相関エネルギー出力手段から出力された相関エネルギーと前記第２相関エネルギー出力手段から出力された相関エネルギーとを加算する第２の加算器と、
該第２の加算器から出力された相関エネルギーを所定期間の間累積する第３積分器と、
該第３積分器から出力された相関エネルギーと予め設定された臨界値とを比較する同期判別器とを有し、
前記同期判別器における比較の結果、前記相関エネルギーが前記臨界値より小さいと、前記第１及び第２のＰＮコードの位相を夫々遅延または加速させることを特徴とするＣＤＭＡシステムにおける初期コード同期獲得装置。
【請求項２】
前記第１掛け算器は、
前記Ｉ−チャンネルに受信される信号と前記第１の加算器から発生されるＰＮコードの合計が０であると、前記Ｉ−チャンネルに受信された信号を０に出力し、
＋２であると、前記Ｉ−チャンネルに受信された信号を単純に”ｓｈｉｆｔ  ｌｅｆｔ”して出力し、
−２であると、前記Ｉ−チャンネルに受信された信号を’ｓｈｉｆｔ  ｌｅｆｔ”と２の補数化により出力することを特徴とする請求項１記載のＣＤＭＡシステムにおける初期コード同期獲得装置。
【請求項３】
前記第２掛け算器は、
前記Ｑ−チャンネルに受信される信号と前記第１の加算器から発生されるＰＮコードの合計が０であると、前記Ｑ−チャンネルに受信された信号を０に出力し、
＋２であると、前記Ｑ−チャンネルに受信された信号を単純に”ｓｈｉｆｔ  ｌｅｆｔ”して出力し、
−２であると、前記Ｑ−チャンネルに受信された信号を’ｓｈｉｆｔ  ｌｅｆｔ”と２の補数化により出力することを特徴とする請求項１記載のＣＤＭＡシステムにおける初期コード同期獲得装置。
【請求項４】
相互に１／２周期の位相差がある擬似雑音コード（ＰＮコード）を夫々発生する第１ＰＮコード発生器及び第２ＰＮコード発生器と、
前記第１ＰＮコード発生器及び前記第２ＰＮコード発生器から夫々発生された各ＰＮコードを加算する第１の加算器と、
Ｉ−チャンネルに受信される信号と前記第１の加算器から発生されるＰＮコードとを乗算する第１掛け算器と、
Ｑ−チャンネルに受信される信号に前記第１の加算器から発生されるＰＮコードを反転して乗算する第２掛け算器と、
相互に１／２周期の位相差がある擬似雑音コード（ＰＮコード）を夫々発生する第３ＰＮコード発生器及び第４ＰＮコード発生器と、
前記第３ＰＮコード発生器及び前記第４ＰＮコード発生器から夫々発生された各ＰＮコードを加算する第２の加算器と、
前記Ｉ−チャンネルに受信される信号と前記第２の加算器から発生されるＰＮコードとを乗算する第３掛け算器と、
前記Ｑ−チャンネルに受信される信号と前記第２の加算器から発生されるＰＮコードを乗算する第４掛け算器と、
前記第１掛け算器から出力される値と前記第４掛け算器から出力される値とを加算する第３加算器と、
前記第２掛け算器から出力される値と前記第３掛け算器から出力される値とを加算する第４加算器と、
前記第３加算器から出力された値を所定期間の間累積して相関エネルギーを出力する第１相関エネルギー出力手段と、
前記第４加算器から出力された値を所定期間の間累積して相関エネルギーを出力する第２相関エネルギー出力手段と、
前記第１相関エネルギー出力手段から出力された相関エネルギーと前記第２相関エネルギー出力手段から出力された相関エネルギーとを加算する第５の加算器と、
該第５の加算器から出力された相関エネルギーを所定期間の間累積する積分器と、
該積分器から出力された相関エネルギーと予め設定された臨界値とを比較する同期判別器とを有し、
前記同期判別器における比較の結果、前記相関エネルギーが前記臨界値より小さいと、前記第１及び第２のＰＮコードの位相を夫々遅延または加速させるとともに、前記第３及び第４のＰＮコードの位相を夫々遅延または加速させることを特徴とするＣＤＭＡシステムにおける初期コード同期獲得装置。
【請求項５】
前記第１乃至第４の掛け算器は、
入力される二つのＰＮコードの合計が０であると、受信された信号を０に出力し、
＋２であると、受信された信号を単純に”ｓｈｉｆｔ  ｌｅｆｔ”して出力し、
−２であると、受信された信号を’ｓｈｉｆｔ  ｌｅｆｔ”と２の補数化により出力することを特徴とする請求項４記載のＣＤＭＡシステムにおける初期コード同期獲得装置。
【請求項６】
相互に１／２周期の位相差がある第１および第２の擬似雑音コード（ＰＮコード）を夫々発生するＰＮコード発生段階と、
前記ＰＮコード発生段階にて発生される前記第１及び前記第２のＰＮコードを加算する第１の加算段階と、
Ｉ−チャンネルに受信される信号と前記第１の加算段階の加算結果であるＰＮコードとを乗算する第１の乗算段階と、
Ｑ−チャンネルに受信される信号と前記第１の加算段階の加算結果であるＰＮコードとを乗算する第２の乗算段階と、
前記第１の乗算段階の乗算結果を所定期間の間累積して相関エネルギーを出力する第１の相関エネルギー出力段階と、
前記第２の乗算段階の乗算結果を所定期間の間累積して相関エネルギーを出力する第２の相関エネルギー出力段階と、
前記第１の相関エネルギー出力段階から出力される相関エネルギーと前記第２の相関エネルギー出力段階から出力される相関エネルギーとを加算する第２の加算段階と、
該第２の加算段階による加算結果である相関エネルギーを所定期間の間累積する第３の乗算段階と、
該第３の乗算段階によって得られた相関エネルギーと予め設定された第１臨界値とを比較する比較段階と、
前記比較段階における比較の結果、前記相関エネルギーが前記第１臨界値より大きいと、受信される信号が、前記第１ＰＮコード及び前記第２ＰＮコードの何れのコードと同期されるかを探索する探索段階とを順次行うようになっており、
前記比較段階における比較の結果、前記相関エネルギーが前記第１臨界値より小さいと、前記第１及び第２のＰＮコードの位相を夫々遅延または加速させる段階を更に行うことを特徴とするＣＤＭＡシステムにおける初期コード同期獲得方法。
【請求項７】
前記探索段階は、
前記第１ＰＮコードのみを発生させる段階と、
該第１ＰＮコードと受信された信号との相関エネルギーを、予め設定された第２臨界値とを比較する段階と、
該比較の結果、前記相関エネルギーが前記第２臨界値より大きいと、前記信号が前記第１ＰＮコードと同期されたと決定する段階と、
を順次行うことを特徴とする請求項６記載のＣＤＭＡシステムにおける初期コード同期獲得方法。
【請求項８】
前記第１ＰＮコードのみを発生させる段階において、前記第２ＰＮコードは０のみを発生させることを特徴とする請求項７記載のＣＤＭＡシステムにおける初期コード同期獲得方法。
【請求項９】
前記探索段階における前記比較の結果、前記相関エネルギーが前記第２臨界値より小さいと、前記信号が前記第２ＰＮコードと同期されたと決定する段階を更に行うことを特徴とする請求項７記載のＣＤＭＡシステムにおける初期コード同期獲得方法。
【請求項１０】
相互に１／２周期の位相差がある第１及び第２の擬似雑音コード（ＰＮコード）を夫々発生する第１のＰＮコード発生段階と、
前記第１のＰＮコード発生段階にて発生される前記第１ＰＮコード及び前記第２のＰＮコードを加算する第１の加算段階と、
Ｉ−チャンネルに受信される信号と前記第１の加算段階の加算結果であるＰＮコードとを乗算する第１の乗算段階と、
Ｑ−チャンネルに受信される信号に前記第１の加算段階の加算結果であるＰＮコードを反転して乗算する第２の乗算段階と、
相互に１／２周期の位相差がある第３及び第４の擬似雑音コード（ＰＮコード）を発生する第２のＰＮコード発生段階と、
前記第２のＰＮコード発生段階にて発生される前記第３及び前記第４のＰＮコードを加算する第２の加算段階と、
前記Ｉ−チャンネルに受信される信号と前記第２の加算段階の加算結果であるＰＮコードとを乗算する第３の乗算段階と、
前記Ｑ−チャンネルに受信される信号と前記第２の加算段階の加算結果であるＰＮコードを乗算する第４の乗算段階と、
前記第１の乗算段階の乗算結果と前記第４の乗算段階の乗算結果とを加算する第３の加算段階と、
前記第２の乗算段階の乗算結果と前記第３の乗算段階の乗算結果とを加算する第４の加算段階と、
前記第３の加算段階の加算結果を所定期間の間累積して相関エネルギーを出力する第１の相関エネルギー出力段階と、
前記第４の加算段階の加算結果を所定期間の間累積して相関エネルギーを出力する第２の相関エネルギー出力段階と、
前記第１の相関エネルギー出力段階から出力される相関エネルギーと前記第２の相関エネルギー出力段階から出力される相関エネルギーとを加算する第５の加算段階と、
該第５の加算段階によって得られた相関エネルギーを所定期間の間累積する積分段階と、
該積分段階によって得られた相関エネルギーと予め設定された臨界値とを比較する比較段階と、
該比較段階における比較の結果、前記相関エネルギーが前記第１臨界値より大きいと、受信される信号が、前記第１加算器及び前記第２加算器から出力される各ＰＮコードの何れのコードと同期されるかを探索する探索段階とを順次行うようになっており、
前記比較段階における比較の結果、前記相関エネルギーが前記第１臨界値より小さいと、前記第１及び第２のＰＮコードの位相を夫々遅延または加速させるとともに前記第３及び第４のＰＮコードの位相を夫々遅延または加速させる段階を更に行うことを特徴とするＣＤＭＡシステムにおける初期コード同期獲得方法。
【発明の詳細な説明】
【０００１】
【発明の属する技術分野】
本発明は、ＣＤＭＡ通信システムにおける初期コード同期獲得装置及びその方法に係るもので、詳しくは、複数のコード発生器から発生される擬似雑音コードの位相を夫々異なるように発生させることで、初期コード同期を迅速に獲得し得るＣＤＭＡ通信システムにおける初期同期獲得装置及びその方法に関するものである。
【０００２】
【従来の技術】
一般に、コード分割多重接続システムにおいて、擬似雑音符号の同期獲得をするための過程は二つの方法に大別される。且つ、前記擬似雑音符号の同期を可能な限り迅速に行うためには、受信されたコードと地域的に発生させたコードとを１／２チップ（ｃｈｉｐ）以内に含ませる初期コード同期獲得方法と、前記初期コード同期獲得過程を通して得られた概略的な（ｃｏａｒｓｅ）コード同期に基づいて正確なコード同期を得るための細かい（ｆｉｎｅ）コード追跡を遂行するコード同期追跡方法と、が挙げられる。
【０００３】
又、前記初期コード同期獲得方法は、チャンネルに受信された信号のコードが時間的にどこに位置するかを受信機では判断することができないため、前記受信機が任意の時間に自体的に発生させたコードと前記受信された信号のコードとを相互相関させる方法が採用される。
【０００４】
即ち、受信機が発生させたコードと前記受信された信号のコードとを相関させると、前記相関値が臨界値より大きく形成されるコードと小さく形成されるコードとに大別されるが、この時、相関値が臨界値より大きく形成されるコードは前記二つのコードの同期が行われたことを意味し、小さく形成されるコードは前記二つのコードの同期が行われてないことを意味する。
【０００５】
従って、前記相関値が小さく形成されるコードにおいては、受信機が発生させたコードを一位相だけ遅延させたり加速させて、前記受信された信号と再び相関させ、初期コード同期獲得が行われる時まで継続的に前記過程を遂行する。
【０００６】
以下、前記初期コード同期獲得方法に対し、図面を用いて説明する。
【０００７】
図４は従来ＢＰＳＫ方式のコード探索器を示したブロック図で、図示されたように、従来ＢＰＳＫ方式のコード探索器は、擬似雑音コード（ｐｓｅｕｄｏ  ｎｏｉｓｅ  ｃｏｄｅ：ＰＮコード）を発生するＰＮコード発生器１０４と、Ｉ−チャンネルに受信された信号と前記ＰＮコード発生器１０４から発生されたコードを乗算する掛け算器１０１と、該掛け算器１０１から乗算された信号の入力を受けてこれを積分する積分器１０２と、該積分された信号のエネルギー値を求める自乗器１０３と、Ｑ−チャンネルに受信された信号と前記ＰＮコード発生器１０４から発生されたコードとを乗算する掛け算器１０５と、該掛け算器１０５から乗算された信号の入力を受けてこれを積分する積分器１０６と、該積分された信号のエネルギー値を求める自乗器１０７と、前記自乗器１０３から出力された信号と前記自乗器１０７から出力された信号とを加算する加算器１０８と、該加算された信号を積分する積分器１０９と、該積分された信号から初期コード同期獲得の可否を判別する同期判別器１１０と、を含んで構成される。
【０００８】
且つ、前記ＢＰＳＫ方式コード探索器における掛け算器１０１及び積分器１０２を通過した信号は、Ｉ−チャンネルにおけるＰＮコード発生器１０４から発生されたコードとＩ−チャンネルに受信された信号との相関エネルギーを示し、前記掛け算器１０５と前記積分器１０６を通過した信号は、Ｑ−チャンネルにおけるＰＮコード発生器１０４から発生されたコードとＱ−チャンネルに受信された信号との相関エネルギーを示している。
【０００９】
以下、このように構成された従来ＢＰＳＫ方式のコード探索器の動作に対して説明する。
【００１０】
まず、Ｉ−チャンネルの信号と前記ＰＮコード発生器１０４から発生された局部のＰＮコードとの所定区間の間の相関エネルギーを求める。且つ、Ｑ−チャンネルの信号と前記ＰＮコード発生器１０４から発生された局部のＰＮコードとの前記区間の間の相関エネルギーを求めた後、前記Ｉ−チャンネル及びＱ−チャンネルから求められた相関エネルギーを加算器１０８を通して加算し、これを前記区間の間累積して同期判別器１１０に入力する。
【００１１】
すると、前記同期判別器１１０は、所定臨界値と前記積分器１０９を通して入力された相関エネルギーとを比較し、もし、入力された相関エネルギーが前記臨界値以上であると、この時に受信されたコードが初期コード同期になるが、前記臨界値より小さいと、前記ＰＮコード発生器１０４から発生されるＰＮコードの位相を変えながら前記過程を反復して、初期コード同期が成立する所定区間を探索する。
【００１２】
このような従来技術は、他の変調方式のコード探索器にも同様に適用される。
【００１３】
図５は従来ＱＰＳＫ方式のコード探索器を示したブロック図で、図示されたように、前記コード探索器は、Ｉ−チャンネル用ＰＮコードを発生するＰＮコード発生器２０１と、Ｉ−チャンネルに受信された信号と前記ＰＮコード発生器２０１から発生されたコードとを乗算する掛け算器２０２と、前記ＰＮコードをインバーティングする反転器２０８と、該インバーティングされたＰＮコードとＱ−チャンネルに受信された信号とを乗算する掛け算器２１０と、Ｑ−チャンネル用ＰＮコードを発生するＰＮコード発生器２０７と、前記ＰＮコード発生器２０７から発生されたコードとＱ−チャンネルに受信された信号とを乗算する掛け算器２０９と、前記ＰＮコード発生器２０７から発生されたコードとＩ−チャンネルに受信された信号とを乗算する掛け算器２０６と、該掛け算器２０９から乗算された信号と前記掛け算器２０２から乗算された信号とを加算する加算器２０３と、前記掛け算器２０６から乗算された信号と前記掛け算器２１０から乗算された信号とを加算する加算器２１１と、前記加算器２０３から加算された信号の入力を受けてこれを積分する積分器２０４と、該積分された信号のエネルギー値を求める自乗器２０５と、前記加算器２１１から加算された信号の入力を受けてこれを積分する積分器２１２と、該積分された信号のエネルギー値を求める自乗器２１３と、前記自乗器２０５から出力された信号と前記自乗器２１３から出力された信号とを加算する加算器２１４と、該加算された信号を所定区間の間積分する積分器２１５と、該積分された信号から初期コード同期獲得の可否を判別する同期判別器２１６と、を含んで構成される。
【００１４】
このように構成された従来ＱＰＳＫ方式のコード探索器は、Ｉ−チャンネル用ＰＮコード発生器２０１及びＱ−チャンネル用ＰＮコード発生器２０７を利用する。即ち、Ｉ−チャンネル用ＰＮコードとＩ−チャンネルに受信された信号とを相互相関させて、前記Ｑ−チャンネル用ＰＮコードとＱ−チャンネルに受信された信号とを相関させて加算器２０３で加算する。このような方法により、インバーティングされたＩ−チャンネル用ＰＮコードとＱ−チャンネルに受信された信号とを相関させて、前記Ｑ−チャンネル用ＰＮコードとＩ−チャンネルに受信された信号とを相関させて加算器２１１で加算する。
【００１５】
又、前記各加算器２０３、２１１で夫々加算された信号に対する初期コード同期探索方法も、前記ＢＰＳＫ方法と同様に行われる。
【００１６】
このような従来コード探索器は、ＰＮコード発生器から発生された所定区間の間（Ｔ）のコードと受信された前記区間の間の信号とを相関させて初期コード同期を獲得する。
【００１７】
【発明が解決しようとする課題】
然るに、このような従来コード探索器においては、前記同期獲得が失敗すると、所定位相の間遅延された局部のＰＮコードを新しく発生させて、受信された信号と継続して相関させなければならないため、この時、最悪の場合、初期コード同期を獲得するに必要な時間（ｔ）は、前記所定区間（Ｔ）に比較されるコード列の個数（ｎ）を掛けた値のＴ×ｎ時間所要されるという不都合な点があった。
【００１８】
本発明は、このような従来の課題に鑑みてなされたもので、発生されるＰＮコードの位相が夫々異なるＰＮコード発生器を複数使用して受信信号と相互相関させることで、ＣＤＭＡ通信システムにおける初期コード同期獲得を迅速に遂行し得る装置及び方法を提供することを目的とする。
【００１９】
且つ、ＰＮコード発生器を複数使用することで、前記コード探索器に使用される各掛け算器を簡単且つ迅速に演算するように構成することで、電力消耗と容積を減少し得るＣＤＭＡ通信システムにおける初期コード同期獲得装置及びその方法を提供することを目的とする。
【００２０】
【課題を解決するための手段】
本発明のＣＤＭＡシステムにおける初期コード同期獲得装置は、所定周期の位相差がある擬似雑音コード（ＰＮコード）を夫々発生する第１ＰＮコード発生器及び第２ＰＮコード発生器と、前記第１ＰＮコード発生器及び前記第２ＰＮコード発生器から夫々発生された各ＰＮコードを加算する第１の加算器と、Ｉ−チャンネルに受信される信号と前記第１の加算器から発生されるＰＮコードとを乗算する第１掛け算器と、Ｑ−チャンネルに受信される信号と前記第１の加算器から発生されるＰＮコードとを乗算する第２掛け算器と、前記第１掛け算器から出力された値を所定期間の間累積して相関エネルギーを出力する第１相関エネルギー出力手段と、前記第２掛け算器から出力された値を所定期間の間累積して相関エネルギーを出力する第２相関エネルギー出力手段と、前記第１相関エネルギー出力手段から出力された相関エネルギーと前記第２相関エネルギー出力手段から出力された相関エネルギーとを加算する第２の加算器と、該第２の加算器から出力された相関エネルギーを所定期間の間累積する第３積分器と、該第３積分器から出力された相関エネルギーと予め設定された臨界値とを比較する同期判別器と、を有することを特徴とする。
【００２１】
前記第１ＰＮコード発生器及び前記第２ＰＮコード発生器からそれぞれ発生される各ＰＮコードは、１／２周期の位相差があることを特徴とする。
【００２２】
前記第１掛け算器は、前記Ｉ−チャンネルに受信される信号と前記第１の加算器から発生されるＰＮコードの合計が０であると、前記Ｉ−チャンネルに受信された信号を０に出力し、＋２であると、前記Ｉ−チャンネルに受信された信号を単純に”ｓｈｉｆｔ  ｌｅｆｔ”して出力し、−２であると、前記Ｉ−チャンネルに受信された信号を’ｓｈｉｆｔ  ｌｅｆｔ”と２の補数化により出力することを特徴とする。
【００２３】
前記第２掛け算器は、前記Ｑ−チャンネルに受信される信号と前記第１の加算器から発生されるＰＮコードの合計が０であると、前記Ｑ−チャンネルに受信された信号を０に出力し、＋２であると、前記Ｑ−チャンネルに受信された信号を単純に”ｓｈｉｆｔ  ｌｅｆｔ”して出力し、−２であると、前記Ｑ−チャンネルに受信された信号を’ｓｈｉｆｔ  ｌｅｆｔ”と２の補数化により出力することを特徴とする。
【００２４】
また、本発明のＣＤＭＡシステムにおける初期コード同期獲得装置は、所定周期の位相差がある擬似雑音コード（ＰＮコード）を夫々発生する第１ＰＮコード発生器及び第２ＰＮコード発生器と、前記第１ＰＮコード発生器及び前記第２ＰＮコード発生器から夫々発生された各ＰＮコードを加算する第１の加算器と、Ｉ−チャンネルに受信される信号と前記第１の加算器から発生されるＰＮコードとを乗算する第１掛け算器と、Ｑ−チャンネルに受信される信号に前記第１の加算器から発生されるＰＮコードを反転して乗算する第２掛け算器と、所定周期の位相差がある擬似雑音コード（ＰＮコード）を夫々発生する第３ＰＮコード発生器及び第４ＰＮコード発生器と、前記第３ＰＮコード発生器及び前記第４ＰＮコード発生器から夫々発生された各ＰＮコードを加算する第２の加算器と、前記Ｉ−チャンネルに受信される信号と前記第２の加算器から発生されるＰＮコードとを乗算する第３掛け算器と、前記Ｑ−チャンネルに受信される信号と前記第２の加算器から発生されるＰＮコードを乗算する第４掛け算器と、前記第１掛け算器から出力される値と前記第４掛け算器から出力される値とを加算する第３加算器と、前記第２掛け算器から出力される値と前記第３掛け算器から出力される値とを加算する第４加算器と、前記第３加算器から出力された値を所定期間の間累積して相関エネルギーを出力する第１相関エネルギー出力手段と、前記第４加算器から出力された値を所定期間の間累積して相関エネルギーを出力する第２相関エネルギー出力手段と、前記第１相関エネルギー出力手段から出力された相関エネルギーと前記第２相関エネルギー出力手段から出力された相関エネルギーとを加算する第５の加算器と、該第５の加算器から出力された相関エネルギーを所定期間の間累積する積分器と、該積分器から出力された相関エネルギーと予め設定された臨界値とを比較する同期判別器と、を有することを特徴とする。
【００２５】
前記第１ＰＮコード発生器及び前記第２ＰＮコード発生器からそれぞれ発生される各ＰＮコードは、１／２周期の位相差があり、前記第３ＰＮコード発生器及び前記第４ＰＮコード発生器からそれぞれ発生される各ＰＮコードは、１／２周期の位相差があることを特徴とする。
【００２６】
前記第１乃至第４の掛け算器は、入力される二つのＰＮコードの合計が０であると、受信された信号を０に出力し、＋２であると、受信された信号を単純に”ｓｈｉｆｔ  ｌｅｆｔ”して出力し、−２であると、受信された信号を’ｓｈｉｆｔ  ｌｅｆｔ”と２の補数化により出力することを特徴とする。
【００２７】
また、本発明の初期コード同期獲得方法は、所定周期の位相差がある第１および第２の擬似雑音コード（ＰＮコード）を夫々発生するＰＮコード発生段階と、前記ＰＮコード発生段階にて発生される前記第１及び前記第２のＰＮコードを加算する第１の加算段階と、Ｉ−チャンネルに受信される信号と前記第１の加算段階の加算結果であるＰＮコードとを乗算する第１の乗算段階と、Ｑ−チャンネルに受信される信号と前記第１の加算段階の加算結果であるＰＮコードとを乗算する第２の乗算段階と、前記第１の乗算段階の乗算結果を所定期間の間累積して相関エネルギーを出力する第１の相関エネルギー出力段階と、前記第２の乗算段階の乗算結果を所定期間の間累積して相関エネルギーを出力する第２の相関エネルギー出力段階と、前記第１の相関エネルギー出力段階から出力される相関エネルギーと前記第２の相関エネルギー出力段階から出力される相関エネルギーとを加算する第２の加算段階と、該第２の加算段階による加算結果である相関エネルギーを所定期間の間累積する第３の乗算段階と、該第３の乗算段階によって得られた相関エネルギーと予め設定された第１臨界値とを比較する比較段階と、前記比較段階における比較の結果、前記相関エネルギーが前記第１臨界値より大きいと、受信される信号が、前記第１ＰＮコード及び前記第２ＰＮコードの何れのコードと同期されるかを探索する探索段階と、を順次行うことを特徴とする。
【００２８】
前記比較段階における比較の結果、前記相関エネルギーが前記第１臨界値より小さいと、前記第１及び第２のＰＮコードの位相を夫々遅延または加速させる段階を更に行うことを特徴とする。
【００２９】
前記探索段階は、前記第１ＰＮコードのみを発生させる段階と、該第１ＰＮコードと受信された信号との相関エネルギーを、予め設定された第２臨界値とを比較する段階と、該比較の結果、前記相関エネルギーが前記第２臨界値より大きいと、前記信号が前記第１ＰＮコードと同期されたと決定する段階と、を順次行うことを特徴とする。
【００３０】
前記第１ＰＮコードのみを発生させる段階において、前記第２ＰＮコードは０のみを発生させることを特徴とする。
【００３１】
前記探索段階における前記比較の結果、前記相関エネルギーが前記第２臨界値より小さいと、前記信号が前記第２ＰＮコードと同期されたと決定する段階を更に行うことを特徴とする。
【００３２】
また、本発明のＣＤＭＡシステムにおける初期コード同期獲得方法は、所定周期の位相差がある第１及び第２の擬似雑音コード（ＰＮコード）を夫々発生する第１のＰＮコード発生段階と、前記第１のＰＮコード発生段階にて発生される前記第１ＰＮコード及び前記第２のＰＮコードを加算する第１の加算段階と、Ｉ−チャンネルに受信される信号と前記第１の加算段階の加算結果であるＰＮコードとを乗算する第１の乗算段階と、Ｑ−チャンネルに受信される信号に前記第１の加算段階の加算結果であるＰＮコードを反転して乗算する第２の乗算段階と、所定周期の位相差がある第３及び第４の擬似雑音コード（ＰＮコード）を発生する第２のＰＮコード発生段階と、前記第２のＰＮコード発生段階にて発生される前記第３及び前記第４のＰＮコードを加算する第２の加算段階と、前記Ｉ−チャンネルに受信される信号と前記第２の加算段階の加算結果であるＰＮコードとを乗算する第３の乗算段階と、前記Ｑ−チャンネルに受信される信号と前記第２の加算段階の加算結果であるＰＮコードを乗算する第４の乗算段階と、前記第１の乗算段階の乗算結果と前記第４の乗算段階の乗算結果とを加算する第３の加算段階と、前記第２の乗算段階の乗算結果と前記第３の乗算段階の乗算結果とを加算する第４の加算段階と、前記第３の加算段階の加算結果を所定期間の間累積して相関エネルギーを出力する第１の相関エネルギー出力段階と、前記第４の加算段階の加算結果を所定期間の間累積して相関エネルギーを出力する第２の相関エネルギー出力段階と、前記第１の相関エネルギー出力段階から出力される相関エネルギーと前記第２の相関エネルギー出力段階から出力される相関エネルギーとを加算する第５の加算段階と、該第５の加算段階によって得られた相関エネルギーを所定期間の間累積する積分段階と、該積分段階によって得られた相関エネルギーと予め設定された臨界値とを比較する比較段階と、該比較段階における比較の結果、前記相関エネルギーが前記第１臨界値より大きいと、受信される信号が、前記第１加算器及び前記第２加算器から出力される各ＰＮコードの何れのコードと同期されるかを探索する探索段階と、を順次行うことを特徴とする。
【００４０】
【発明の実施の形態】
以下、本発明の実施の形態に対し、図面を用いて説明する。
【００４１】
図１は本発明に係るＣＤＭＡ通信システムにおける初期コード同期獲得装置のＢＰＳＫ方式のコード探索器を示したブロック図で、図示されたように、本発明に係るＢＰＳＫ方式のコード探索器においては、擬似雑音コード（ｐｓｅｕｄｏｎｏｉｓｅ  ｃｏｄｅ：ＰＮコード）を発生する第１ＰＮコード発生器３０４及び第２ＰＮコード発生器３０６と、それら第１ＰＮコード発生器３０４及び第２ＰＮコード発生器３０６から夫々発生されたＰＮコードを加算する加算器３０５と、Ｉ−チャンネルに受信された信号と前記加算されたＰＮコードとを乗算する掛け算器３０１と、該掛け算器３０１から乗算された信号の入力を受けてこれを積分する積分器３０２と、該積分された信号のエネルギー値を求める自乗器３０３と、Ｑ−チャンネルに受信された信号と前記加算されたＰＮコードを乗算する掛け算器３０７と、該掛け算器３０７から乗算された信号の入力を受けてこれを積分する積分器３０８と、該積分された信号のエネルギー値を求める自乗器３０９と、前記自乗器３０３から出力された信号と前記自乗器３０９から出力された信号とを加算する加算器３１０と、該加算された信号を所定区間の間積分する積分器３１１と、該積分された信号から初期コード同期獲得の可否を判別する同期判別器３１２と、を含んで構成される。
【００４２】
且つ、前記擬似雑音コード（ＰＮコード）を発生する第１ＰＮコード発生器３０４及び第２ＰＮコード発生器３０６は、相互異なるコードを発生させる。即ち、前記第１ＰＮコード発生器３０４から発生されるＰＮコードと前記第２ＰＮコード発生器３０６から発生されるＰＮコードとは相互１／２周期や一周期ほどの差があるため、従来コード探索器より２倍速く初期コード同期を探索することができる。又、本発明に係るＢＰＳＫ方式のコード探索器が、ＰＮコード発生器を四つ具備して、夫々１／４周期程度の差を置いてＰＮコードを発生させると、４倍程度速く初期コード同期を探索することができる。
【００４３】
また、前記擬似雑音コード（ＰＮコード）を発生する第１ＰＮコード発生器３０４及び第２ＰＮコード発生器３０６を採用することで、前記各掛け算器３０１、３０７の構造を単純化させて掛け算演算を迅速に遂行することができる。即ち、二つのＰＮコードを加算すると、その結果値は−２、０、＋２のみになるため、前記二つのＰＮコードを加算した値が０であると、前記各掛け算器３０１、３０７の結果値は０に出力され、前記加算した値が＋２であると、前記各掛け算器３０１、３０７の結果値は単純に”ｓｈｉｆｔ  ｌｅｆｔ”のみを、−２であると、前記各掛け算器３０１、３０７の結果値は”ｓｈｉｆｔ  ｌｅｆｔ”と２の補数のみを遂行することで得られるため、掛け算結果を迅速に得ることができる。
【００４４】
一方、図２は本発明に係るＣＤＭＡ通信システムにおける初期コード同期獲得装置のＱＰＳＫ方式のコード探索器を示したブロック図で、図示されたように、本発明に係るＱＰＳＫ方式のコード探索器においては、Ｉ−チャンネル用ＰＮコードを発生する第１ＰＮコード発生器４０１及び第２ＰＮコード発生器４０３と、それら第１ＰＮコード発生器４０１及び第２ＰＮコード発生器４０３から夫々発生されたＩ−チャンネル用ＰＮコードを加算する加算器４０２と、Ｉ−チャンネルに受信された信号と前記加算器４０２から加算されたＰＮコードとを乗算する掛け算器４０４と、該加算されたＰＮコードをインバーティングする反転器４１３と、該インバーティングされたＰＮコードとＱ−チャンネルに受信された信号とを乗算する掛け算器４１４と、Ｑ−チャンネル用ＰＮコードを発生する第３ＰＮコード発生器４０８及び第４ＰＮコード発生器４１１と、それら第３ＰＮコード発生器４０８及び第４ＰＮコード発生器４１１から夫々発生されたＱ−チャンネル用ＰＮコードを加算する加算器４１０と、該加算されたＰＮコードとＩ−チャンネルに受信された信号とを乗算する掛け算器４０９と、前記加算されたＰＮコードとＱ−チャンネルに受信された信号とを乗算する掛け算器４１２と、前記掛け算器４０４から乗算された信号と前記掛け算器４１２から乗算された信号とを加算する加算器４０５と、前記掛け算器４０９から乗算された信号と前記掛け算器４１４から乗算された信号とを加算する加算器４１５と、前記加算器４０５から加算された信号の入力を受けてこれを積分する積分器４０６と、該積分された信号のエネルギー値を求める自乗器４０７と、前記加算器４１５から加算された信号の入力を受けてこれを積分する積分器４１６と、該積分された信号のエネルギー値を求める自乗器４１７と、前記自乗器４０７から出力された信号と前記自乗器４１７から出力された信号とを加算する加算器４１８と、該加算された信号を所定期間の間積分する積分器４１９と、該積分された信号から初期コード同期獲得の可否を判別する同期判別器４２０と、を含んで構成される。
【００４５】
以下、このように構成された本発明に係るＣＤＭＡ通信システムにおける同期獲得装置のＢＰＳＫ方式のコード探索器の探索方法に対し、図３を用いて説明する（ＱＰＳＫ方式のコード探索方法は、前記ＢＰＳＫ方式のコード探索方法と同様な技術的アイディアで動作されるため、説明を省く）。
【００４６】
まず、前記第１ＰＮコード発生器３０４及び第２ＰＮコード発生器３０６から夫々発生されたＰＮコードを加算器３０５から加算した後、Ｉ−チャンネルの信号と前記加算されたＰＮコードとの所定の区間の間の相関エネルギーを求める（Ｓ５０１）。
【００４７】
且つ、前記Ｑ−チャンネルの信号と前記加算されたＰＮコードとの前記区間の間の相関エネルギーを求める。次いで、前記Ｉ−チャンネル及びＱ−チャンネルから求められた相関エネルギーを加算器３１０を通して加算して、これを前記区間の間累積して同期判別器３１２に入力させる。
【００４８】
すると、前記同期判別器３１２は所定の第１臨界値と前記積分器３１１を通して入力された相関エネルギーとを比較し（Ｓ５０２）、その結果、もし、入力された相関エネルギーが前記第１臨界値以下であると、前記第１及び第２ＰＮコード発生器３０４、３０６はＰＮコードの位相を夫々遅延させたり加速させる段階から開始する（Ｓ５０３）。
【００４９】
然し、前記入力された相関エネルギーが前記第１臨界値より大きいと、第１ＰＮコード発生器３０４から発生されたＰＮコードと再び相関させる（Ｓ５０４）。即ち、第１ＰＮコード発生器３０４は以前に発生したＰＮコードと同様にＰＮコードを発生させ、第２ＰＮコード発生器３０６は’０’値からなるＰＮコードのみを発生させる。次いで、前記第１ＰＮコード発生器３０４から発生されたＰＮコードと受信された信号との相関エネルギーを求めて、これを前記同期判別器３１２から第２臨界値と比較する（Ｓ５０５）。
【００５０】
前記相関エネルギーが第２臨界値より大きいと、前記同期判別器３１２は第１ＰＮコード発生器３０４から発生されたＰＮコードと前記受信された信号とが同期をなしたと判別し（Ｓ５０６）、もし、前記相関エネルギーが第２臨界値より小さいと、前記同期判別器３１２は第２ＰＮコード発生器３０６から発生されたＰＮコードと前記受信された信号とが同期をなしたと判断する（Ｓ５０７）。
【００５１】
【発明の効果】
以上説明したように、本発明に係るコード探索器においては、発生されるＰＮコードの位相が夫々異なるＰＮコード発生器を複数使用して受信信号と相互相関させることで、ＣＤＭＡ通信システムにおける初期コード同期獲得を迅速に遂行し得るという効果がある。
【００５２】
且つ、ＰＮコード発生器を複数使用することで、前記コード探索器に使用される各掛け算器が簡単且つ迅速な演算を遂行するように構成されるため、実際の製作時にも電力消耗と容積とを減らし得るという効果がある。
【図面の簡単な説明】
【図１】本発明に係るＣＤＭＡ通信システムにおける同期獲得装置のＢＰＳＫ方式のコード探索器を示したブロック図である。
【図２】本発明に係るＣＤＭＡ通信システムにおける同期獲得装置のＱＰＳＫ方式のコード探索器を示したブロック図である。
【図３】本発明に係るＣＤＭＡ通信システムにおける同期獲得装置の探索方法を示したフローチャートである。
【図４】従来ＢＰＳＫ方式のコード探索器を示したブロック図である。
【図５】従来ＱＰＳＫ方式のコード探索器を示したブロック図である。
【符号の説明】
３０１  掛け算器
３０２  積分器
３０３  自乗器
３０４  第１ＰＮコード発生器
３０５  加算器
３０６  第２ＰＮコード発生器
３０７  掛け算器
３０８  積分器
３０９  自乗器
３１０  加算器
３１１  積分器
３１２  同期判別器
【図１】
0003787557.tif 000002
【図２】
0003787557.tif 000003
【図３】
0003787557.tif 000004
【図４】
0003787557.tif 000005
【図５】
0003787557.tif 000006